(57)【特許請求の範囲】
【請求項１】
（１）製油所廃ガス原料を部分酸化して、一酸化炭素と水素の合成ガス混合物を生ずる過程と、
（２）その合成ガス混合物とスチームとを、３１０〜５４０℃（６００〜１０００°Ｆ）の高温状態に維持する第１の温度状態と、この第１の温度状態に引き続いて該第１の温度状態の範囲内の３１０〜４３０℃（６００〜８００°Ｆ）に維持する第２の温度状態で反応させて、前記一酸化炭素を、二酸化炭素と水素を主として含む生ガス混合物へ転化する過程と、
（３）圧力スイング吸着により前記生ガス混合物を純化して、高純度水素を生じ、不純物のガス混合物を除去する過程と、
を備える高純度水素の製造方法。
【請求項２】
第１の温度状態は４５０℃（８５０°Ｆ）であり、第２の温度状態は３４０℃（６５０°Ｆ）である請求項１記載の高純度水素の製造方法。
【請求項３】
（１）少なくとも１つのＣ１−Ｃ３炭化水素を含み、かつ３０までの平均分子量を有する主成分を有する炭化水素ガス原料を部分酸化して、一酸化炭素と水素の合成ガス混合物を生ずる過程と、
（２）その合成ガス混合物とスチームとを、３１０〜５４０℃（６００〜１０００°Ｆ）の高温状態に維持する第１の温度状態と、この第１の温度状態に引き続いて前記第１の温度状態の範囲内の３１０〜４３０℃（６００〜８００°Ｆ）に維持する第２の温度状態で反応させて、前記一酸化炭素を、二酸化炭素と水素を主として含む生ガス混合物へ転化する過程と、
（３）前記生ガス混合物に圧力スイング吸着を行って前記生ガス混合物を純化することにより、高純度水素を生じ、不純物ガス混合物を除去する過程と、
で構成される高純度水素の製造方法。
【発明の詳細な説明】
【０００１】
【産業上の利用分野】
本発明は全体として水素製造方法に関するものであり、更に詳しくいえば製油所の廃ガス原料または特定の炭化水素原料から高純度水素を製造する方法に関するものである。
【０００２】
【従来の技術】
種々の水素製造法が知られている。より頻繁に採用されているある方法は、天然ガスまたはナフサのスチーム改質、重質直留（ＨＳＲ）ガソリンまたは重質油（たとえば燃料油）の範囲で沸騰する炭化水素の触媒改質、および重質油または天然ガスの部分酸化を含む。天然ガスのスチーム改質は多分最も広く用いられている水素製造法である。しかし、比較的費用のかかる原料である天然ガスはある種の硫黄物質を含むことがある。その硫黄物質の典型的なものは硫化水素である。改質触媒は硫黄に極めて敏感であるから、当業者が知っているように、天然ガスは脱硫のために費用のかかる前処理を行わねばならない。
【０００３】
われわれの知識では、上記方法を含めて現在知られている任意の方法における高純度水素ガスの製造のための原料として、以下に述べる製油所廃ガスの使用は今まで提案されたことはなかった。実際に、製油所廃ガスはスチーム改質または触媒改質における原料として良く機能することに特性的に適さない。とくに、製油所廃ガス中にはオレフィンの含有率が高いから、過剰のコーキングのために改質触媒の活動性が急速に失われることになるために、スチーム改質装置へ製油所廃ガスを供給することはできない。更に、製油所廃ガスのＮ2含有率が低く、Ｎ2と炭素酸化物の含有率が高いから、廃ガス原料からＨ2 を回収することは困難である。通常は硫化水素の形で製油所廃ガス中に硫黄が存在することにより、従来のスチーム改質法で用いる触媒が硫黄に対して非常に敏感であるから、脱硫という付加工程を必要とするために問題が生ずる。同様に、水素処理触媒のあるものにとっては窒素は有害なことがあるから、廃ガス中に窒素が存在することも問題である。
【０００４】
現在までは製油所廃ガスはほとんど価値がなく、しかもオレフィンや、ジオレフィンおよび芳香族化合物のようなその他の不飽和化合物により油煙が生ずるために、環境基準に適合するように廃ガスを安全に処分せねばならないから、製油所の運転員にとっては負担であった。典型的には、製油所廃ガスの一部は製油所の設備の炉で燃焼させるための補助燃料として用いられ、豊富な過剰廃ガスは燃やさねばならない。しかし、製油所廃ガスのオレフィン含有率が高いから、燃やすことによって望ましくないレベルの油煙が生ずる結果となる。
【０００５】
更に、われわれの知っている所では、本発明の１つの面により提供されるような、後述の一連の工程を含む方法で高純度水素を製造するために特定の炭化水素原料を用いることはこれまで提案されなかった。そのような原料を用いて加圧高純度水素を製造するこのような方法はこれまで知られていなかったとも信ぜられる。
【０００６】
米国特許第３，５４５，９２６号には、部分酸化と、それに続く水成ガスシフト反応および二酸化炭素除去によって、液状炭化水素から水素を発生する方法が記載されている。
米国特許第３，８７４，５９２号には炭化水素を部分酸化して合成ガスにするためのバーナーが記載されている。
したがって、製油所廃ガスの建設的かつ有利な使用、および同時にそれの安全な処分の必要をなくすことにより、当業者に顕著な利益を提供する。
【０００７】
米国特許第４，５５３，９８１号には流出ガス硫から水素を回収する方法が記載されている。とくに、スチーム改質操作、部分酸化操作、または石炭ガス化操作からの流出ガス流は、純粋の水素ガス含有生成ガス流を回収するために、シフト転化装置、洗浄装置および圧力スイング吸着装置で処理される。部分酸化および高温シフト変換による処理の後で、流出流は水素６０〜６５パーセント，二酸化炭素３０〜３５パーセント（乾燥状態でのモルパーセント）の組成を典型的に有する。この米国特許は、シフト転化流出流中の二酸化炭素の大きな部分（すなわち、７０％以上、好ましくは８５〜９９．９％）を、最後の純化のために圧力スイング吸着を受ける前に、洗浄により除去せねばならないことを教示している。シフト転化流出流中の二酸化炭素が高レベルであるのは、部分酸化装置の上流側に「重い」炭化水素原料を装入するためである。
【０００８】
水素製造法に伴う経済的な欠点は洗浄工程を必要とすることであることが当業者は確実にわかる。洗浄装置およびそれに関連する機器、たとえば、導管、冷凍機の設置および運転に関連するスペースおよび費用の結果として、より経済的なやり方に対する要求が生ずることになる。実際に、洗浄装置およびそれに関連する機器が、処理装置を設置するために要する全投下費用の５０パーセントまでを占めることがある。
【０００９】
したがって、費用のかかる洗浄工程を行う必要性を避ける、高純度水素の製造方法は当業者に大きく寄与する。いいかえると、圧力スイング吸着にシフト転化流出流を純化する前に、その流出流から二酸化炭素の大部分を除去することが不必要である方法でその目的が満たされる。
【００１０】
米国特許第４，８６９，８９４号には、天然ガス、またはメタンに富む他の混合ガスを、スチームと反応させて第１の改質を行い、その後で残留メタンを気化酸素と反応させることによる第２の改質を行う、水素発生および回収法が記載されている。第１／第２の改質剤流出物からのＣＯ2 およびその他の不純物の分離が真空スイング吸着シーケンスで行われる。この方法は２工程水素発生技術を必要とする。これは従来技術において典型的なものである。したがって、この方法のユーザーはこの方法を実施するたに要するハードおよび材料の製作、設置および運転のために多額の資本投下を強いられる。更に、この方法は、第１の改質工程を行う前に原料を脱硫する必要がある。
したがって、１つの水素発生過程のみを必要とする方法が有利な改良である。
【００１１】
【発明が解決しようとする課題】
本発明は有害な物質を生じることなく廃ガスから高純度の水素を得る方法を提供することである。
【００１２】
【課題を解決するための手段】
本発明は、（１）製油所廃ガス原料を部分酸化して、一酸化炭素と水素の合成ガス混合物を生ずる過程と、（２）その合成ガス混合物を水蒸気と反応させて、前記一酸化炭素を、二酸化炭素と水素を主として含む生ガス混合物へ転化する過程と、（３）圧力スイング吸着により前記生ガス混合物を純化して、高純度水素を生じ、不純物のガス混合物を除去する過程と、を備える高純度水素の製造方法が得られる。
【００１３】
前記製油所廃ガス原料はＨ2，Ｎ2，Ｏ2，ＲＳＨ，ＣＨ4，Ｃ2Ｈ6，Ｃ3Ｈ6，Ｃ3Ｈ8，Ｃ4Ｈ8，Ｃ4Ｈ10，Ｃ5Ｈ10，Ｃ5Ｈ12，ＣＯ，ＣＯ2，Ｈ2Ｏ，Ｈ2Ｓ，ＣＯＳ，ＮＨ3 ，ＨＣＮ，オレフィン，ジオレフィン，アセチレン，芳香族，およびひ素を含むことがある。
前記製油所廃ガス原料は約４０容量パーセントまでの水素を含むことがある。
前記製油所廃ガスは約８〜４０モル％のＨ2 、約０〜１０モル％のＮ2 、約２０〜６０モル％のＣＨ4、約１〜２５モル％のＣ2Ｈ4、約３〜２０モル％のＣ2Ｈ6、約１〜１０モル％のＣ3Ｈ6、約１〜１０モル％のＣ3Ｈ8 、約０．２〜５モル％のＣ4Ｈ8、約０．２〜８モル％のＣ4Ｈ10 、約０〜１モル％のＣＯ、約０〜２モル％のＣＯ2、約０〜４モル％のＨ2ＳとＨ2Ｏを含むことがある。
【００１４】
前記製油所廃ガスは流体触媒クラッキング装置、残留コーキング装置、遅延コーキング装置、流動化コーキング装置、触媒改質装置、水素化処理装置、または圧力スイング吸着装置から得ることができる。
【００１５】
したがって、本発明の方法は、高純度水素の経済的な製造法を提供するものである。以下に述べる製油所廃ガスの建設的かつ有益な使用により高純度ガスが製造されるばかりでなく、環境基準により課される安全な廃棄の要求を適切に回避する。
【００１６】
さらに、本発明は、（１）製油所廃ガス原料を部分酸化して、一酸化炭素と水素の合成ガス混合物を生ずる過程と、（２）その合成ガス混合物を水蒸気と反応させて、前記一酸化炭素を、二酸化炭素と水素を主として含む生ガス混合物へ転化する過程と、（３）前記生ガス混合物に圧力スイング吸着を行って前記生ガス混合物を純化することにより、高純度水素を生じ、不純物ガス混合物を得る過程とでほぼ構成される高純度水素の製造方法を提供する。
【００１７】
ガス状炭化水素原料は天然ガス、または天然ガスと製油所廃ガスの組み合わせとすることができる。製油所廃ガスは約４０容量％までの水素を含み、エネルギー値が少なくとも約７００Ｂｔｕ／ＳＣＦである。
本発明の方法は、不純物の廃ガス混合物が合成ガス混合物と混合するようにその廃ガス混合物の一部を再循環させることにより、廃ガス混合物が水蒸気と反応できるようにして、廃ガス混合物中に残っている一酸化炭素を水素および二酸化炭素へ転化し、高純度水素の製造を強めるものである。
【００１８】
本発明の方法は、廃ガス混合物中に存在する硫化水素の十分な量を回収する過程と、硫化水素を処理して元素硫黄を生ずる過程とを更に有することができる。
【００１９】
本発明の方法は、廃ガス混合物をきれいな燃焼燃料源として使用できるようにするために、廃ガス混合物を燃焼装置へ送る過程も含むことができる。燃料は部分酸化原料を予熱するためのエネルギー源として、または設備（たとえば、製油所または石油化学プラント）において実施される他のプロセスのために採用できる。
【００２０】
本発明は、（１）少なくとも１つのＣ1−Ｃ3炭化水素を含み、かつ約３０までの平均分子量を有する主な成分を含むガス状炭化水素原料を水素生成物の希望の圧力より少し高い圧力で加圧する過程と、（２）前記原料を部分酸化して一酸化炭素と水素の合成ガス混合物を生ずる過程と、（３）その合成ガス混合物を水蒸気と反応させて、前記一酸化炭素を、二酸化炭素と水素を主として含む生ガス混合物へ転化する過程と、（４）前記生ガス混合物に圧力スイング吸着を作って前記生ガス混合物を純化することにより、加圧された高純度水素および不純物の廃ガス混合物を生ずる過程と、を備える、加圧された高純度水素を製造する方法にも関するものである。
【００２１】
以下に述べる原料から高純度水素を分離するために本発明の方法が採用されると、従来の水素製造法（たとえば、水蒸気改質法）に典型的に伴う主な欠点が解消されるから有利である。たとえば、原料の前処理は不要で、環境に有害なＮＯｘの発生が解消される。また、本発明の方法は約８４４０ｋｇ／cm2ｇ （約１２００ｐｓｉｇ）までの高い圧力で実施でき、方法の初めに圧縮が行われないから、Ｈ2 生成物の圧縮機は本発明の実施には不要である。水蒸気メタン改質においては、圧力の上限は約７１ｋｇ／cm2ｇ（約３００ｐｓｉｇ）までである。更に、この方法は発熱型であって、エネルギーが発生されるから、本発明の方法はエネルギー効率が高い。これとは対照的に、水蒸気メタン改質は吸熱型であって、Ｈ2 の製造に熱入力を必要とする。その結果、本発明の方法は水蒸気メタン改質よりも約１０〜１５％少なく天然ガスを消費する。
米国特許第４，５５３，９８１号に開示されている方法よりも本発明が優れている点は当業者には明らかであろう。
【００２２】
【実施例】
本発明の方法の第１の実施例で用いられる原料を製油所オフガスと全体的に呼ぶ。あるいは、原料は廃ガス、ベントガス、ネットガスまたはテールガスと呼ばれてきた。ここで用いる製油所オフガスは、製油所に典型的に存在するここの処理装置により発生される各種々のガス流を指す。製油所オフガスは飽和炭化水素および不飽和炭化水素と、有機硫黄、窒素種のような他の不純物と、Ｈ2Ｓ ，ＣＯＳ，ＣＯｘ，ＮＨ3 ，ＨＣＮおよびひ化水素を含む無機物質とを一般に含んでいる。ある特定の成分はＨ2，Ｎ2，Ｏ2，ＲＳＨ，ＣＨ4，Ｃ2Ｈ4，Ｃ2Ｈ6 ，Ｃ3Ｈ6，Ｃ3Ｈ8，Ｃ4Ｈ8，Ｃ4Ｈ10，Ｃ5Ｈ10，Ｃ5Ｈ12，ＣＯ，ＣＯ2およびＨ2Ｏを含む。オフガス、したがって本発明の方法のための原料を発生できる処理装置は流体触媒クラッキング（ＦＣＣ）装置、残留コーキングのような熱クラッキング装置、遅延コーキング装置すなわち流体コーキング装置、触媒改質（ＣＲ）装置、水素化精製（ＨＴ）装置、圧力スイング吸着（ＰＳＡ）装置を含むことができる。ＦＣＣ装置からのオフガス流はとくに好ましい。
【００２３】
製油所オフガスは、約４０容量％までの水素を含み、少なくとも約７００Ｂｔｕ／ＳＣＨ、たとえば約７００〜１４００Ｂｔｕ／ＳＣＦのエネルギー値を典型的に有するものとして一般的に特徴づけられる。廃ガス流が４０容量％以上の水素を含む場合には、たとえば圧力スイング吸着により水素の一部を回収し、その後で、今は４０容量％以下の水素を含んでいる除去ガスを本発明の方法における原料として用いることが一般に好ましい。オフガス原料中に存在する成分の濃度を示すために表１を示す。ＦＣＣＵ超低温残渣からの好適なオフガス流の典型的な組成も表１に示されている。
【００２４】
0003638618.tif 000002
【００２５】
製油所オフガス中の、ひ化水素（ＡｓＨ3） として現れる、ひ素の存在は原油源に依存する。しかし、「あまり望ましくない」重質原油が多量に製油所へ供給されると、ひ素の含有量が多くなる傾向がある。とくに、オイル・シェールの蒸溜から回収されるシェール油はひ素を含むことが認められている。環境に対する関心が高くなるにつれて、ひ素のような物質が環境中に放出される前にそれらの物質を分離することが重要である。本発明の方法はこの目的も満たすものである。
【００２６】
本発明で用いられる好ましいオフガス原料はＦＦＣからのものであるが、他の石油処理装置および化学処理装置を使用できること、およびオフガスを燃焼できる前に除去と破壊を必要とする種も含むことができる。たとえば、アミン、ニトリルのような有機窒素化合物を含んでいる廃ガスは、燃焼（完全燃焼）させられた時に、環境放出基準をこえた量のＮＯｘを生ずる。本発明に従って、有機窒素化合物の部分酸化は窒素と、限られた量のアンモニアと、痕跡程度のシアン化水素だけを生ずるから有利である。後者の固定された窒素化合物は容易に分離され、Ｎ2 だけを含んでいる合成ガスの燃焼によるＮＯｘの形成は最少限にされる。
【００２７】
本発明の実施においてはオフガス原料は約９３〜３７０℃の温度に予熱される。オフガスはたとえばファイヤヒーター、または熱交換器で加熱できる。
【００２８】
本発明の方法の第１の過程においては、オフガス原料を部分酸化して、一酸化炭素と水素の合成ガス混合物を生ずる。更に詳しくいえば、図１に示すように、予熱されたオフガス原料を、１日当たり約１１３０００〜１１３００００標準立方メートル（約４００〜４０００万標準立方フィート）（ｍｍｓｃｆｄ）の割合で部分酸化装置へ装入する。オフガス原料の圧力は最終製品、すなわち、水素の希望の圧力に対応する。図示のように、オフガス原料を部分酸化できるようにするために、部分酸化装置にはＯ2 流も装入される。米国特許第３，８７４，５９２号に記載されているような部分酸化燃焼装置により、Ｏ2 はオフガスとは別々に部分酸化装置へ装入される。酸素の消費率は、典型的には１日当たり約９０．７〜１０９０トン（約１００〜１２００ショートトン）である。これは、類似の量の天然ガス、石油または石炭原料を部分酸化するために必要なＯ2 消費率より約１０〜２５％低いから有利である。オフガスの最小エネルギー値は７００ＢＴＵ／ＳＣＦ、より典型的には８００〜１４００Ｂｔｕ／ＳＣＦであるから、部分酸化装置への原料として良く機能する。とくに、このオフガス原料は、それの加熱値のために、非常に容易に部分酸化できる。
【００２９】
好適な実施例においては、部分酸化装置は、耐火内張りされた圧力容器と、熱回収スチーム発生器または冷却室のような補助ガス冷却装置とを含むガス化装置である。熱回状装置については後で更に説明する。ガス化装置は約１２００〜１５４０℃（約２２００〜２８００°Ｆ）の温度、および約１４〜８５ｋｇ／cm2 ｇ（約２００〜１２００ｐｓｉｇ）の圧力で典型的に運転させられる。反応物の部分酸化装置内の滞留時間は通常は約２〜４秒である。このようにして、所定量のオフガスがガス化装置において約２〜４秒で部分酸化される。部分酸化装置の内部では合成ガス（すなわち、一酸化炭素と水素）が、好ましくは、オフガス原料の１モル当たり少なくとも約２．０〜３．５モル、が発生される。
【００３０】
部分酸化装置（ガス化装置）においては内部スチームも発生される。後で述べるように、そのスチームはシフト転化装置で用いられるから有利である。合成ガスが部分酸化装置を出る前に、その合成ガスは水のような冷却媒体で冷却される。合成ガスを冷却する手段（たとえば冷却浴）は部分酸化装置内に含むことができ、あるいは部分酸化装置の外部に、合成ガスが冷却装置の中を通り、それから一酸化炭素シフト転化装置の中を通ることができるようにして配置できる。
【００３１】
この部分酸化操作により、合成ガス製品の体積はオフガス原料の体積の少なくとも２倍である。したがって、合成ガスの窒素含有量は少なくとも２倍に希釈される。重要なことは、希釈された量の窒素を除去することが一層効率的で、容易なことである。
【００３２】
本発明に従って、すなわちオフガス原料から発生された合成ガス混合物は、少なくとも約５９容量％水素と、少なくとも約３０容量％の一酸化炭素を含む。これとは逆に、天然ガス原料または石油原料の部分酸化から得られた合成ガス混合物はＨ2 を約４８％、ＣＯを約４３％含む。本発明の方法に従って発生された合成ガスが望ましい。その理由は、より多くの水素が発生され、かつＣＯの発生量が少ないからである。このことはＣＯシフト転化装置が用いられることが少なくなることを意味する。
【００３３】
次の過程においては、合成ガス流は部分酸化装置からシフト転化装置へ送られる。更に詳しくいえば、ガス化装置からの高温の合成ガスが、上記のように、合成ガス発生器（ガス化装置）の圧力で、水との直接接触により急速に冷却され、一酸化炭素シフト転化反応装置へ直接送られる。米国特許第３，５４５，９２６号に開示されているように、十分な水が蒸気にされて高温の合成ガス中に導入されて、シフト転化反応の為に必要な水蒸気を供給する。その水蒸気は合成ガス中に存在する一酸化炭素と反応して、二酸化炭素と水素の生ガス混合物を生ずる。約７０ｋｇ／cm2 （約１０００ｐｓｉｇ）の運転圧では、冷却された合成ガスの平衡温度は約２６０℃（５００°Ｆ）に近い。シフト転化装置約２６０〜５１０℃（５００〜９５０°Ｆ）、好ましくは約２８８〜４８２℃（５５０〜９００°Ｆ）の動作で運転するから、出口ガスに対する熱交換器によりシフト転化装置への入口ガスを加温する必要がある。水素と二酸化炭素を発生する一酸化炭素シフト反応は僅かに発熱性であり、平衡状態と存在する一酸化炭素の量に応じて、ガスの温度はシフト触媒を横切って約３７０〜５１０℃（約７００〜９５０°Ｆ）の温度まで上昇する。
【００３４】
好適な実施例においては、少なくとも約９０％の一酸化炭素が二酸化炭素と水素へ転化される。シフト転化装置の内部に配置されている１台または複数の固定床触媒反応装置でシフト転化反応を行わせることが好ましい。この方法においては、シフト転化反応は２段階、より適切には、２つのシフトで行われる。典型的には、従来の高純度水素の製造方法においては３段シフト転化が用いられる。２つ以上の固定床反応装置が採用される場合には、給気冷却器または熱交換器を含むことができる冷却装置が、種々の床の間に位置させられて、温度が高くなりすぎることを防ぐ。というのは温度が高すぎると平衡転化に悪影響があるからである。反応温度を、第１のシフト（または段階）においては約３１０〜５４０℃（約６００〜１０００°Ｆ）に維持し、第２のシフトにおいては、約２６０〜４３０℃（約５００〜８００°Ｆ）に維持することが望ましい。好ましくは、第１のシフトにおいては約４５０℃（約８５０°Ｆ）に維持し、第２のシフトにおいては約３４０℃（約６５０°Ｆ）に維持する。
【００３５】
シフト転化反応において用いられる触媒は、当業者が知っているようにクロムと酸化鉄を含むことが好ましい。この触媒はシフト反応ＣＯ＋Ｈ2Ｏ→ＣＯ2＋Ｈ2 を促進するために用いられる。
【００３６】
シフト転化反応装置は、原料中に存在する望ましくない汚染物質を破壊し、または保持するように作用する。たとえば、シアン化水素を加水分解してアンモニア、水素および二酸化炭素を生成する。製油所オフガス中にひ素が存在するか、存在するおそれがあるとすると、一酸化炭素シフト転化触媒を適当な保護床により保護して、合成ガスからひ素を除去せねばならない。適当な保護床物質は、冷却された合成ガスの露点より約２８℃（約５０°Ｆ）高い温度で動作させられる。
【００３７】
この方法の次の過程は、上記シフト転化反応で製造された生ガス混合物を純化することを含む。シフト転化装置から出る流出ガスは生の二酸化炭素と水素で主として構成される。生ガス混合物中に存在する不純物は窒素、一酸化炭素、メタン、硫化水素、水を典型的に含む。一酸化炭素シフト転化装置で合成ガスが処理されてから、水を除去するためにそれを冷却する。今はＨＣｌとして存在する塩化物およびアンモニアは凝結して水と共にガスから除去される。したがって、不純な流出ガスがシフト転化装置から水素精製装置へ送られて、残っている不純物を生の流出流から除去する。
【００３８】
用いられる精製装置は、吸着床における圧力変化を用いることにより生の流れから不純物を除去する圧力スイング吸着（ＰＳＡ）装置（図示せず）である。これは酸−ガス除去の手段を容易にし、水素精製は本発明の重要な特徴である。従来の方法においては、生の流れはアミン溶液による処理を典型的に行い、その後でメタン発酵法を行い、次に銅液体洗浄法を行い、最後に分子ふるいドライヤ法を行う。
【００３９】
図１に示すように、２つの流出流がＰＳＡ装置から出る。１つの流れは除去ガスであって、Ｎ2，ＣＯ2，ＣＯ，ＮＨ4，ＮＨ3，Ｈ2Ｓ のような分離された不純物を含む。除去ガス流には少量の未回収のＨ2 も含まれる。
ＰＳＡ装置から出た第２の流れは高純度水素である。本発明により製造される水素は少なくとも９９％純粋である。製造された高純度水素は従来の手段を用いて回収され、各種の用途に使用できる。それらは水素化精製法、ハイドロプロセス法、ハイドロクラッキング法、メタノール製造法、オキソアルコール製造法、異性化法を含むが、それらに限定されるものではない。
【００４０】
本発明の方法は、希望の処理と、ＰＳＡ装置から出る除去ガスの使用との少なくとも一方を含む付加実施例を含む。以下に説明する各付加実施例において、本発明の実施は上記過程を含むことを理解すべきである。
１つのそのような付加実施例においては、除去ガスをシフト転化装置へリサイクルして水素の回収を高める。この実施例は約５〜１０％だけ水素の回収を高める。とくに、図２を参照して、ＰＳＡ装置を出た除去ガスを酸−ガス除去装置へまず送って、ＣＯシフト転化装置に入る前に副成品として二酸化炭素を回収し、硫化水素を回収する。周知のベンフィールド法またはアミン溶液法により酸−ガス除去を行うことができる。機能性のアミン溶液はモノエタノールアミン（ＭＥＡ）、ジェタノールアミン（ＤＥＡ）すなわちセレクソール（Ｓｅｌｅｘｏｌ）、ポリエトキシエーテルを含む。酸−ガス除去装置からの除去ガスの一部の圧力を加圧機で高くしてから、（図示のように合成ガス供給流へ導入することにより、またはシフト転化装置内へ直接導入することにより、シフト転化装置内へ入れる。いずれにしても、目的は、除去ガスをシフト転化装置内の水蒸気と反応させて、除去ガス中に存在する一酸化炭素を上記生ガス混合物に転化することができるように、除去ガスを合成ガス混合物に混合させることができるようにすることである。）
【００４１】
窒素のような不活性ガスをシステムから除去する手段を設ける必要があるから、酸ガス洗浄装置からの除去ガスの一部を流れ（Ｈ）に示すように取り出す。この流れはメタン、一酸化炭素、水素だけを窒素に加えて含んでいるから、それはきれいな燃焼燃料である。
【００４２】
燃料として使用できるきれいな燃焼燃料の量は存在する窒素の量に依存する。ブリードガス（流れ（Ｈ））の加熱値は、良い品質の燃料を生ずるために、１５０Ｂｔｕ／ＳＣＦより少ない、好ましくは２５０Ｂｔｕ／ＳＣＦ、に保つ必要がある。一般に、窒素含有率を３０％以下に保つためには、十分な酸−ガス洗浄装置除去ガスを取り出すべきである。燃料への転換の前に酸ガス、とくに二酸化炭素を除去すると、ガスの加熱の質が大幅に改善され、かつ酸ガス洗浄装置除去ガスのうち、一酸化炭素シフト転化装置原料中に再び注入される部分からの水素の回収が改善される。
【００４３】
第２の別の実施例においては、除去ガスは精製装置（たとえば、ＰＳＡ装置）から燃焼装置へ送られ、その燃焼装置において、部分酸化装置または一酸化炭素シフト装置へ、あるいは製油装置の他の処理装置へ送られる、製油所オフガスのような、原料流を予熱するために燃料源として使用できる。環境の点から、ＰＳＡ装置からでる除去ガスは、製油装置の処理装置、たとえばＦＣＣ装置、を出る製油所オフガスよりも良い燃料源である。上記のように、製油所オフガスは、燃焼した時に油煙を生ずる炎を発生する不飽和炭化水素を高濃度に含む。ＰＳＡ装置からの除去ガスがオレフィンその他の不飽和物質を全く含んでいないから、燃焼してもほぼ同じレベルの油煙を生ずることはない。
【００４４】
第３の別の実施例においては、ＰＳＡ装置の除去ガスを処理して硫化水素を除去する。その硫化水素を更に処理して硫黄を得る。オフガス原料中にかなりの量の硫化水素を含んでいる場合には、この実施例はとくに有利である。硫化水素はＰＳＡ装置除去流から既知の任意の方法で除去できる。それを除去する１つの方法は、除去ガスを酸−ガス洗浄装置へ送って、除去流から硫化水素を除去する。
【００４５】
ＰＳＡ装置の除去ガスから硫化水素を除去することは、製油所オフガスからそれを除去するよりも好ましい。元のオフガス原料に硫黄が存在する場合には、その硫黄の一部は有機物質に通常組み合わされて、ＰＳＡ装置から酸ガス洗浄を介して硫化水素を除去することよりも除去を困難にする。ガス化操作と、それに続く転化シフトによって、酸ガス抽出よりも一層利用できるようにする。元素硫黄は任意の既知の方法で得ることができる。クラウスシステムのような酸化法が一般に好ましい。
【００４６】
本発明のある実施例を実施するための方法および手段を更に示すために下記の例を説明する。
例  I
この例は、希望のリサイクル過程を用いることなしに本発明の方法を実施する好適なやり方を示すためのものである。表２に本方法に含まれている各ガス流に対して好適な圧力、温度および流量のパラメータが示されている。表３には、各ガスに含まれている成分が乾燥状態におけるモルで示されている。表２と表３において、各ガス流は下記の記号で表されている。
【００４７】
Ａ−部分酸化装置に入るオフガス原料
Ｂ−部分酸化装置からの流出ガス（主として合成ガス）。これはシフト転化装置へ入る。
Ｃ−シフト転化装置からの流出ガス。これは精製装置（たとえば、ＰＳＡ装置）へ入る。
Ｄ−精製装置からの高純度Ｈ2。
Ｅ−精製装置からの除去ガス流（廃ガス）。
【００４８】
0003638618.tif 000003
【００４９】
0003638618.tif 000004
例 II
この例は、ＰＳＡ装置からの除去ガスを酸ガス除去装置を通ってリサイクルさせ、それから、シフト転化装置へ入る前に合成ガス流に混合させて、Ｈ2 の回収を高める、本発明の方法の別の実施例を実施する好適なやり方を示すためのものである。表４と表５は操作パラメータと、乾燥状態におけるモルで表した成分濃度を示す。流れＡ〜Ｅは表２および表３で用いたのと同じである。表４および表５においては記号Ｆ，Ｇ，Ｈはそれぞれ下記のガス流を表す。
【００５０】
Ｆ−酸ガス除去装置からの二酸化炭素流
Ｇ−ＣＯ2 除去装置からの滑り流れ流出流。これは転化されていない合成ガスとともにシフト転化装置へ再び入る。
Ｈ−ＣＯ2 除去装置からのオフガス流出流のブリード流。これはシステム中の不活性物質（窒素）の蓄積を制御するためにとられるものであって、きれいな燃焼燃料として用いられる。
【００５１】
0003638618.tif 000005
【００５２】
0003638618.tif 000006
【００５３】
本発明の方法の下記の実施例で用いられる原料は、炭化水素の混合物を含んでいるガスとして一般に述べる。更に詳しくいえば、本発明の方法で用いられる原料の重要な特性は、ガス中の炭化水素の大部分が少なくとも１であり、更に具体的にいえば、平均分子量が約３０までであるようなＣ1−Ｃ3炭化水素の混合物であることである。すなわち、炭化水素原料の大部分が、少なくとも１つのＣ1 −Ｃ3 炭化水素を含む主な成分で占められている。それの組み合わせ（大部分）の平均分子量は約３０までである。したがって、より重い炭化水素の原料中の存在量は痕跡程度でなければならない。
【００５４】
上記気体状炭化水素原料を本発明の方法に用いることにより、米国特許第４，５５３，９８１号に記載されているのと同じ二酸化炭素濃度をシフト転化流出流が含まず、その結果として、上記米国特許に記載されている方法で要求される費用のかかる洗浄過程が避けられる。また、シフト転化流出流中のＨ：ＣＯ2 比は、本発明の方法を実施する時には高い。水素が望ましい最終製品であるから、これは本発明の方法に関する更に別の利点である。
【００５５】
例として、天然ガスはここで意図する種類の原料を表す。実際に、天然ガスは好ましい原料である。典型的な天然ガスの組成が表Ａに示されている。この表に示す全ての値は、特記なき限り、モル％を表す。
【００５６】
表  Ａ
成  分 濃    度
Ｈ2                    ０−５
Ｎ2                    ０−２
ＣＨ4                  ６０−９８
Ｃ2Ｈ6                 ２−２０
Ｃ3Ｈ8                 １−１０
Ｃ4Ｈ10                ０−５
Ｃ5＋                  ０−５
ＣＯ2                  ０−３
Ｈ2Ｓ                  ０−２００ｐｐｍ
Ｈ2Ｏ                  ０− 飽和
【００５７】
表Ａに示すように、天然ガス組成中に存在する十分な量（主な成分）の炭化水素はＣ1−Ｃ3炭化水素（主としてメタン）であって、組み合わされた平均分子量は約３０である。
【００５８】
本発明の方法で用いられる別の好ましい原料は、製油所オフガスに組み合わせて天然ガスを含むことができる。ここで用いる製油所オフガスは、製油所に典型的に存在する個々の処理装置により発生される各種のガス流を一般に指す。製油所オフガスは飽和炭化水素と、不飽和炭化水素と、Ｈ2Ｓ ，ＣＯＳ，ＳＯｘ，ＮＨ3 ，ＨＣＮおよびひ素を含む無機物質と、有機硫黄、窒素種のような他の不純物を一般に含む。ある特定の成分はＨ2，Ｎ2，Ｏ2，ＲＳＨ，ＣＨ4，Ｃ2Ｈ4，Ｃ2Ｈ6，Ｃ3Ｈ8，Ｃ4Ｈ8，Ｃ4Ｈ10，Ｃ5Ｈ12，ＣＯ，ＣＯ2，Ｈ2Ｏを含む。オフガス、したがってこの方法のための原料に使用される追加の成分を生ずることができる処理装置は流体触媒クラッキング（ＦＦＣ）装置と、残渣コーキング装置、遅延コーキング装置、流動化コーキング装置のようなクラッキング装置と、触媒改質（ＣＲ）装置と、ハイドロトリーティング（ＨＴ）装置と、圧力スイング吸着（ＰＳＡ）装置とを含むことができる。ＦＣＣ装置からのオフガス流はとくに好ましい。
【００５９】
製油所オフガスは、約４０容量％までの水素を含み、典型的に少なくとも約７００Ｂｔｕ／ＳＣＦのエネルギー値を有することを特徴とする。
表Ｂは追加オフガス原料中に存在する成分の濃度を示すためのものである。ＦＣＣ超低温残渣装置からの好ましいオフガス流の典型的な組成も表Ｂに示されている。
【００６０】
0003638618.tif 000007
【００６１】
本方法において用いられる好ましい追加のオフガス原料はＦＣＣ装置から供給されるが、他の石油処理装置および化学処理装置からのオフガスを使用できること、かつオフガスを燃焼できる前に除去または破壊を必要とする種を含むことがあることを理解すべきである。たとえば、アミンまたはニトリルのような有機窒素化合物を含んでいる廃ガス流は、燃焼した（完全燃焼した）時に、環境放出限度をこえる量のＮＯｘを生ずる。有利なことに、本発明によれば、有機窒素の部分酸化は、窒素と、限られた量のアンモニアと、痕跡量のシアン化水素だけを生成する。後者の固定された窒素化合物は容易に分離され、Ｎ2 だけを含んでいる合成ガスの燃焼によるＮＯｘの生成は最少にされる。
【００６２】
本発明の方法における別の利点は、最終生成物（水素）を圧縮することなしに、およびこの方法の諸過程の実施中に発生される流出ガス流のいずれも圧縮することなしに、圧縮された水素製品を供給できることにある。とくに、圧縮水素製品を製造するために必要とするどのようなガス圧縮も、原料を部分酸化装置へ装入する前に起こる。有利なことに、この段階においては、圧縮すべきガスの量は最低である。とくに、本発明の方法の第１の過程で発生された合成ガスは、原料の体積と比較して十分に増加した体積を持つ。その理由は、最初の原料中に存在するものよりも大きいモルの合成ガスが製造されるからである。例として、メタンを主として含んでいる天然ガス原料の部分酸化において、下記の反応に従って合成ガスが製造される。
ＣＨ4  ＋  １／２  Ｏ2  →  ＣＯ＋２Ｈ2
したがって、１．５モルの原料ガスが３モルの合成ガスを生ずるから、２倍の体積増加が示される。また、下記のシフト転化過程において一酸化炭素が水蒸気と反応させられると、水素を含む追加のガス体が発生される。したがって、当業者は容易にわかるように、製品ではなくて原材料を圧縮することによりエネルギーとコストが節約される。
【００６３】
水素製品の希望の圧力が知られているから、必要があれば、部分酸化装置内に入れる前に、希望の製品圧より少し高い圧力（たとえば、約３．５ｋｇ／cm2ｇ （５０ｐｓｉｇ））まで原料成分を圧縮すべきである。同様に、部分酸化反応を支えるために部分酸化装置へ供給される酸素は、希望の製品圧より少し高い圧力に加圧すべきである。過大な圧力は、当業者がわかるように、本発明の方法の実施中に圧力の僅かな損失によりオフセットされる。
【００６４】
本発明の実施においては、上記ガス原料を約１１０〜３９０℃（約２００〜７００°Ｆ）の温度へ予熱する。原料はファイヤヒータまたは熱交換器により加熱できる。
【００６５】
この方法の第１の過程においては、ガス原料を部分酸化して一酸化炭素と水素の合成ガス混合物を生ずる。更に詳しくいえば、図１に示すように、予熱した天然ガス原料（説明のために用いられる）を、１日当たり約１１３，０００〜１，１３０，０００立方ｍ（約４，０００，０００〜４０，０００，０００標準立方フィート／日）（ｍｍｓｃｆｄ）の割合で部分酸化装置へ装入する。上記のように、天然ガス原料の圧力は最終製品、水素、の希望の圧力にほぼ一致する（少し高い）。図示のように、天然ガス原料の部分酸化を行えるようにするために、部分酸化装置へＯ2 流も装入する。Ｏ2 流も、水素製品の希望圧力にほぼ一致する圧力まで加圧する。米国特許第３，８７４，５９２号に記載されているように、Ｏ2 は、部分酸化燃焼装置により、天然ガス原料とは別々に、部分酸化装置へ供給する。酸素消費率は典型的には１日当たり約１０４〜１２７０トン（約１１５〜１４００ショートトン）である。
【００６６】
好適な実施例においては、部分酸化装置は、耐火内張り圧力容器と、熱回収スチーム発生器または冷却室のような補助ガス冷却手段とを含むガス化装置である。それについては後で説明する。ガス化装置は、約１２００〜１５４０℃（約２２００〜２８００°Ｆ）の温度、および約１４〜８４ｋｇ／cm2ｇ （約２００〜１２００ｐｓｉｇ）の圧力で典型的に運転させる。この方法はそのように高い圧力で実施するから、そのようにして製造された水素を最後により複雑に圧縮することは不要である。
【００６７】
反応物質の部分酸化装置内の滞留時間は通常約２〜４秒である。したがって、所定量の原料ガスがガス化装置において約２〜４秒の間に部分酸化される。部分酸化装置においては、合成ガス（すなわち、一酸化炭素と水素）が、好ましくは、原料ガスのモル当たり少なくとも約２〜３モル合成ガスの量で合成ガスが製造される。
【００６８】
内部水蒸気も、部分酸化装置（ガス化装置）内で製造された合成ガス製品を冷却することにより、部分酸化装置内でも発生される。これは下に特徴について述べるように、シフト転化装置において有利に用いられる。合成ガスが部分酸化装置を出る前に、その合成ガスを水のような冷却媒体で冷却する。合成ガスを冷却する手段（たとえば、冷却浴）を部分酸化装置の内部に含ませることができ、または部分酸化装置の外部に設けて、合成ガスを冷却装置を通って送り、その後で一酸化炭素シフト転化装置へ送るようにして位置させることができる。
【００６９】
本発明に従って発生された合成ガス混合物は、少なくとも約５９容量％の水素と、少なくとも約３０容量％の一酸化炭素とを含む。本発明の方法に従って発生される合成ガス混合物は望ましい。というのはこの方法ではより多くの水素が発生され、ＣＯの発生量が少ないからである。このことは、より重質の炭化水素原料で求められるより少ないＣＯシフト転化装置が用いられることを意味する。
【００７０】
次の過程においては、合成ガス流を部分酸化装置からシフト転化装置へ送る。更に詳しくいえば、上記のように、ガス化装置からの高温の合成ガスを、ガス化装置の圧力で、水に直接接触させることにより急速に冷却してから、一酸化炭素シフト転化反応装置へ直接送る。米国特許第３，５４５，９２６号に記載されているように、十分な水を高温の合成ガス中に吹き込んで、シフト転化反応に必要な蒸気を供給する。その蒸気は合成ガス中に存在する一酸化炭素と反応して、一酸化炭素と水素の生ガス混合物を生ずる。約７０３ｋｇ／cm2ｇ （約１０００ｐｓｉｇ）の運転圧では、冷却された合成ガスの平衡温度は約２６０℃（約５００°Ｆ）に近い。シフト転化装置は約２６０〜５１０℃（５００〜９５０°Ｆ）の温度、好ましくは約２８８〜４８２℃（５５０〜９００°Ｆ）、の温度で運転するから、シフト転化装置への供給ガスを、出るガスに対する熱交換器により暖める必要があることがある。水素と二酸化炭素を生ずる一酸化炭素シフト反応は僅かに発熱し、ガスの温度は、存在する一酸化炭素の量と平衡条件に応じて、約３７０〜５１０℃（約７００〜９５０°Ｆ）の温度までシフト触媒を横切って上昇する。
【００７１】
好適な実施例においては、少なくとも約９０％の一酸化炭素が二酸化炭素と水素へ転化される。この方法においては、シフト転化反応は２段階、あるいはより具体的には２つのシフトで起こるから有利である。典型的には、高純度水素を発生するために３段階のシフト転化が用いられる。２つ以上の固定床反応装置が用いられる場合には、たとえばインタークーラーまたは熱交換器を含むことができる冷却装置を種々の床の間に位置させて、平衡転化に悪影響を及ぼす高温度になることを阻止する。反応温度を、第１のシフト（または段階）においては約３１６〜５３８℃（約６００〜１０００°Ｆ）に保ち、第２のシフトにおいて約２６０〜４３０℃（約５００〜８００°Ｆ）に保つことが望ましい。好ましくは、第１のシフトにおいては約４５０℃（約８５０°Ｆ）の温度に保ち、第２のシフトにおいて約２４０℃（約６５０°Ｆ）の温度に保つ。
【００７２】
シフト転化反応において用いられる触媒は、当業者に知られているように、クロムと酸化鉄を含むことが好ましい。この触媒はシフト反応ＣＯ＋Ｈ2Ｏ→ＣＯ2＋Ｈ2 を促進するために用いられる。
【００７３】
シフト転化反応装置は、原料中に存在する望ましくない汚染物質を破壊または保持するためにも作用する。たとえば、アンモニア、水素および二酸化炭素を生成するためにシアン化水素が加水分解される。
この方法のシフト転化過程からの生流出ガスは、約７１％の水素と、約２６％をこえない二酸化炭素と、を含み、残りの３％は一酸化炭素と、その他の痕跡成分である。
【００７４】
この方法の次の過程は、上記シフト転化反応で生成された生ガス混合物を精製することである。シフト転化装置から出る流出ガスは主として生二酸化炭素と水素出主として構成される。生ガス混合物中に存在する不純物は窒素、一酸化炭素、メタン、硫化水素、水を典型的に含む。合成ガスを一酸化炭素シフト転化装置で処理した後で、それを冷却して水を除去する。今はＨＣｌとして存在する塩化物と、アンモニアは水とともに凝縮して、ガスから除去される。したがって、純粋でない流出ガスはシフト転化装置から送られ、水素精製装置へ直接送られて、残っている不純物を生流出流から除去する。
【００７５】
精製過程は圧力スイング吸着で行うから、用いられる精製装置は、吸着床における圧力変化を用いることにより生の流れから不純物を除去する圧力スイング吸着（ＰＳＡ）装置である（示すように）。これは酸−ガス除去手段が容易にされ、水素精製は本発明の別の重要な特徴である。従来の方法においては、生の流れをアミン溶液で処理してから、メタン化を行い、それから銅液洗浄を行い、最後に分子ふるい乾燥処理を行う。
【００７６】
図１に示すように、２つの流出流がＰＳＡ装置から出る。流れの一方は除去ガスであって、Ｎ2，ＣＯ2，ＣＯ，ＮＨ4，ＮＨ3，Ｈ2Ｓ のような分離された不純物を含む。また、除去ガスには平衡量の未回収Ｈ2 も含まれる。
ＰＳＡから出る第２の流れは高純度水素である。本発明の方法により発生された水素は少なくとも９９％純粋で、更に典型的には９９．９％純粋である。発生された高純度水素は通常の手段を用いて回収され、各種の用途で使用できる。それらはハイドロトリーティング法、水素処理法、ハイドロクラッキング法、メタノール生産法、オキソアルコール生産法、異性化法を含み、製品はフィッシャー−トロプッシュ型法等により製造される。
【００７７】
本発明の方法はＰＳＡ装置を出る除去ガスの選択的な処理と使用の少なくとも１つをほぼ含む追加の実施例を含む。以下に述べる各追加の実施例において、本発明の実施は上記過程を含むことを理解すべきである。
【００７８】
そのような追加の実施例の１つにおいては、水素の回収を高めるために、除去ガスはシフト転化装置へリサイクルされる。この実施例は水素の回収を約５〜１５％だけ高めることができる。とくに、図２を参照して、ＰＳＡ装置を出た除去ガスはまず酸ガス除去装置へ送られて、ＣＯシフト転化装置に入る前に、二酸化炭素を副生物として回収し、かつ硫化水素を回収する。周知のベンフィールト法すなわちアミン溶液法で酸ガスを除去できる。この場合、作用アミン溶液は、例として、モノエタノールアミン（ＭＥＡ）、ジェタノールアミン（ＤＥＡ）すなわちセレクソール、ポリエトキシエーテルを含む。酸ガス除去装置からの除去ガスの一部の圧力を昇圧機で上昇させ、それから、合成ガス原料流に（図示のように）混ぜることにより、シフト転化装置へ入れられ、またはシフト転化装置へ直接入れられる。いずれにしても、目的は、除去ガスをシフト転化装置において水蒸気と反応させ、除去ガス中に含まれている一酸化炭素を上記生ガス混合物へ転化させることができるように、除去ガスを合成ガス混合物と混合できるようにすることである。
【００７９】
システムから窒素のような不活性ガスを除去する手段を設けることが必要であるから、酸ガス洗浄装置からの除去ガスの部分を流れ（Ｈ）において図示のように取り出す。この流れは、窒素に加えて、メタン、一酸化炭素および水素だけを含んでいるから、それはきれいな燃焼燃料である。
【００８０】
燃料として用いることができるきれいな燃料流（Ｈ）の量は存在する窒素の量に依存する。良い品質の燃料を生ずるためには、ブリードガス（流れ（Ｈ））の加熱値を１５０Ｂｔｕ／ＳＣＦより小さくなく、好ましくは２５０Ｂｔｕ／ＳＣＦに保つ必要がある。一般に、窒素の含有量を３０％以下に保つためには、十分な酸ガス洗浄装置除去ガスを取り出さねばならない。酸ガスとくに二酸化炭素を、燃料へ分けるために除去すると、ガスの加熱の質が大幅に向上するとともに、酸ガス洗浄装置の除去ガスのうち、二酸化炭素シフト転化装置原料に再注入される部分からの水素の回収が向上する。
【００８１】
第２の別の実施例においては、除去ガスは精製装置（たとえばＰＳＡ装置）化ら燃焼装置へ送られ、そこで、部分酸化装置または一酸化炭素シフト装置、またはプラント内の他の任意の処理装置へ供給される原料流を予熱するための燃料源として使用できる。環境の面からはＰＳＡ装置からの除去ガスにはオレフィンその他の不飽和炭化水素が全く含まれていないから、その除去ガスは好ましい燃料源である。したがって、その除去ガスが加熱されて生ずる炎は環境に受け容れられないレベルの油煙は生じない。
【００８２】
第３の別の実施例においては、硫化水素を除去するためにＰＳＡ装置の除去ガスを処理する。その硫化水素は後で処理して硫黄を取り出す。ガス原料中に比較的多重の硫化水素が含まれている場合にこの実施例はとくに有利である。硫化水素は既知の任意のやり方でＰＳＡ装置除去ガスから除去できる。１つの硫化水素除去法は、除去流を酸−ガス洗浄装置に通して、硫化水素を除去流から除去する方法である。
【００８３】
ＰＳＡ装置の除去ガスから硫化水素を除去することは、ガス原料から流か水素を除去することより好ましい。元の原料に硫黄が存在する場合には、それの一部が有機物に通常組み合わされて、酸ガス洗浄装置を介してＰＳＡ装置の除去ガスから硫化水素を除去することよりも除去がはるかに困難になる。ガス化およびそれに続く転化シフトという一連の操作で、硫黄を酸ガス抽出より一層利用可能にされる。
硫黄は既知の任意の方法で取り出すことができる。クラウスシステムのような酸化法が一般に好ましい。
【００８４】
下記例は、本発明のある実施例を実施するための方法を更に示すためのものである。
例  III
この例は、選択的なリサイクル過程なしに本発明の方法を実施する好適なやり方を示すものである。表Ｃには、方法に含まれる各ガス流に対する好ましい圧力、温度、流量のパラメータが示されている。表Ｄには、各ガス流に含まれている成分が乾燥状態のモルで示されている。表ＣとＤにおいて、各ガス流は下記のような記号で表されている。
Ａ−部分酸化装置に入るオフガス原料
Ｂ−部分酸化装置からの流出ガス（主として合成ガス）。これはシフト転化装置へ入る。
Ｃ−シフト転化装置からの流出ガス。これは精製装置（たとえばＰＳＡ装置）へ入る。
Ｄ−精製装置からの高純度Ｈ2
Ｅ−精製装置からの除去ガス流（廃ガス）
【００８５】
0003638618.tif 000008
【００８６】
0003638618.tif 000009
【００８７】
例  IV
この例は、ＰＳＡ装置からの除去ガスを酸ガス除去装置を通って送り、それから、Ｈ2 の回収を向上させるために合成ガス流に加えてからシフト転化装置へ入れる、除去ガスリサイクルの選択的過程を含む、本発明の別の実施例を実施する好適なやり方を示すものである。表Ｅと表Ｆは操作パラメータと、乾燥状態でのモルで表した成分濃度とをそれぞれ示す。流れＡ〜Ｅは表Ｃと表Ｄに用いたのと同じである。表Ｅと表Ｆにおいて、ガス流Ｆ，Ｇ，Ｈは下記の意味を表す。
Ｆ−酸ガス除去装置からの二酸化炭素流
Ｇ−ＣＯ2 除去装置からの流出すべり流。これは未転化の合成がスとともにシフト転化装置へ再び入る。
Ｈ−システム内で不活性物質（窒素）が蓄積されることを制御するためにとった、ＣＯ2 除去装置からの流出オフガスのブリード流であって、きれいな燃焼燃料として用いられる。
【００８８】
0003638618.tif 000010
【００８９】
0003638618.tif 000011
【図面の簡単な説明】
【図１】本発明の方法の実施に含まれている過程の概略を示す。
【図２】本発明の別の実施例の概略を示す。
【図１】
0003638618.tif 000012
【図２】
0003638618.tif 000013